【手続補正書】
【提出日】平成26年10月30日(2014.10.30)
【手続補正１】
【補正対象書類名】特許請求の範囲
【補正対象項目名】全文
【補正方法】変更
【補正の内容】
【特許請求の範囲】
【請求項１】
液晶ディスプレイユニットが収容される車両用計器装置であって、
前記液晶ディスプレイユニットの動作を制御するＬＣＤ制御用回路基板は、前記液晶ディスプレイユニット以外の表示を制御する計器制御用回路基板とは別体で、前記液晶ディスプレイユニットの裏面に組み付けられ、
前記液晶ディスプレイユニットは、前記ＬＣＤ制御用回路基板と一体化した液晶表示ユニットとして前記計器制御用回路基板とともに計器内に収容されることを特徴とする車両用計器装置。
【請求項２】
前記ＬＣＤ制御用回路基板は、前記計器制御用回路基板よりも層の数が多い多層構造を有することを特徴とする請求項１に記載の車両用計器装置。
【請求項３】
指針式計器と液晶ディスプレイユニットとが並設される車両用計器装置であって、
前記液晶ディスプレイユニットの動作を制御するＬＣＤ制御用回路基板は、前記指針式計器の動作を制御する指針制御用回路基板とは別体で、正面視寸法が前記液晶ディスプレイユニットの正面視寸法と略同一に設定されると共に、前記液晶ディスプレイユニットの裏面に組み付けられ、
前記液晶ディスプレイユニットは、前記ＬＣＤ制御用回路基板と一体化した液晶表示ユニットとして前記指針式計器に並設されることを特徴とする車両用計器装置。
【請求項４】
請求項３に記載の車両用計器装置において、
前記ＬＣＤ制御用回路基板は、前記液晶ディスプレイユニットとは反対側に位置する外表面に、外部回路と接続するための外部接続コネクタが備えられていることを特徴とする車両用計器装置。
【請求項５】
請求項４に記載の車両用計器装置であって、
前記外部接続コネクタには、前記外部回路として、前記液晶表示ユニットの動作に必要な信号を送る信号ケーブルと、給電を行う電源ケーブルとが接続されることを特徴とする車両用計器装置。
【手続補正２】
【補正対象書類名】明細書
【補正対象項目名】００１２
【補正方法】変更
【補正の内容】
【００１２】
本発明の前述した目的は、下記の構成により達成される。
（１）  液晶ディスプレイユニットが収容される車両用計器装置であって、
前記液晶ディスプレイユニットの動作を制御するＬＣＤ制御用回路基板は、前記液晶ディスプレイユニット以外の表示を制御する計器制御用回路基板とは別体で、前記液晶ディスプレイユニットの裏面に組み付けられ、
前記液晶ディスプレイユニットは、前記ＬＣＤ制御用回路基板と一体化した液晶表示ユニットとして前記計器制御用回路基板とともに計器内に収容されることを特徴とする車両用計器装置。
（２）  上記（１）に記載の車両用計器装置において、
前記ＬＣＤ制御用回路基板は、前記計器制御用回路基板よりも層の数が多い多層構造を有することを特徴とする。
【手続補正３】
【補正対象書類名】明細書
【補正対象項目名】００１３
【補正方法】変更
【補正の内容】
【００１３】
（３）  指針式計器と液晶ディスプレイユニットとが並設される車両用計器装置であって、
前記液晶ディスプレイユニットの動作を制御するＬＣＤ制御用回路基板は、前記指針式計器の動作を制御する指針制御用回路基板とは別体で、正面視寸法が前記液晶ディスプレイユニットの正面視寸法と略同一に設定されると共に、前記液晶ディスプレイユニットの裏面に組み付けられ、
前記液晶ディスプレイユニットは、前記ＬＣＤ制御用回路基板と一体化した液晶表示ユニットとして前記指針式計器に並設されることを特徴とする車両用計器装置。
（４）  上記（３）に記載の車両用計器装置において、
前記ＬＣＤ制御用回路基板は、前記液晶ディスプレイユニットとは反対側に位置する外表面に、外部回路と接続するための外部接続コネクタが備えられていることを特徴とする車両用計器装置。
【手続補正４】
【補正対象書類名】明細書
【補正対象項目名】００１４
【補正方法】変更
【補正の内容】
【００１４】
（５）  上記（４）に記載の車両用計器装置であって、
前記外部接続コネクタには、前記外部回路として、前記液晶表示ユニットの動作に必要な信号を送る信号ケーブルと、給電を行う電源ケーブルとが接続されることを特徴とする
車両用計器装置。
【手続補正５】
【補正対象書類名】明細書
【補正対象項目名】００１５
【補正方法】変更
【補正の内容】
【００１５】
上記（１）、（２）の構成によれば、液晶ディスプレイユニットの動作を制御するＬＣＤ制御用回路基板は、液晶ディスプレイユニット以外の表示を制御する計器制御用回路基板とは別体である。従って、ＬＣＤ制御用回路基板としての回路基板には、耐ノイズ性に対する信頼性を確保すると同時に高密度実装を実現する上で有利な４層以上の多層基板を使用する場合でも、耐ノイズ性や実装性がＬＣＤ制御用回路基板ほど要求されない計器制御用回路基板としての回路基板には、例えば、３層以下の安価な回路基板を使用することができる。従って、計器制御用回路基板が過剰品質になることを防止して、低コスト化を図ることができる。
【手続補正６】
【補正対象書類名】明細書
【補正対象項目名】００１６
【補正方法】変更
【補正の内容】
【００１６】
上記（３）の構成によれば、液晶ディスプレイユニットの動作を制御するＬＣＤ制御用回路基板は、指針式計器の動作を制御する指針制御用回路基板とは別体である。従って、ＬＣＤ制御用回路基板としての回路基板には、耐ノイズ性に対する信頼性を確保すると同時に高密度実装を実現する上で有利な４層以上の多層基板を使用する場合でも、耐ノイズ性や実装性がＬＣＤ制御用回路基板ほど要求されない指針制御用回路基板としての回路基板には、例えば、３層以下の安価な回路基板を使用することができる。
従って、液晶ディスプレイユニットに並設される指針式計器の動作を制御する指針制御用回路基板が過剰品質になることを防止して、低コスト化を図ることができる。
【手続補正７】
【補正対象書類名】明細書
【補正対象項目名】００１７
【補正方法】変更
【補正の内容】
【００１７】
また、上記（３）の構成によれば、液晶ディスプレイユニットは、ＬＣＤ制御用回路基板と一体化した液晶表示ユニットとして指針式計器に並設されるため、指針式計器の動作を制御する指針制御用回路基板は、液晶ディスプレイユニットの動作を制御する回路を含まない単純な回路基板として単独で設計することができ、指針制御用回路基板の設計を容易にすることができる。また、液晶ディスプレイユニット１０の共用も図り易い。
【手続補正８】
【補正対象書類名】明細書
【補正対象項目名】００１８
【補正方法】変更
【補正の内容】
【００１８】
上記（４）の構成によれば、外部接続コネクタが装備されているＬＣＤ制御用回路基板の外表面は、液晶ディスプレイユニットとは反対側に位置する面で、外部に露出している面である。従って、外部接続コネクタは外部に露出した状態に装備されており、外部回路への接続が容易にできる。
【手続補正９】
【補正対象書類名】明細書
【補正対象項目名】００１９
【補正方法】変更
【補正の内容】
【００１９】
上記（５）の構成によれば、液晶表示ユニットの動作に必要な信号を送る信号ケーブルと、給電を行う電源ケーブルとは、いずれも、ＬＣＤ制御用回路基板の外表面の外部接続コネクタに接続されるため、それぞれのケーブルの接続作業を容易にすることができる。